(57)【要約】【課題】コンバインの排稈カッターでは、切断わらを刈取跡地面に幅広く拡散排出する。しかしながら、株元側の切断わらを穂先寄りへ案内しながら落下するには、排出落差が比較的低く、狭いスペースに案内板等が配置されるため、構成が煩雑で、激しい機体の揺動、乃至振動構成に耐える強固な重量構成となり易い。【解決手段】多数枚のカッタディスク１を軸方向に配置したカッタ軸２を軸装のカッタケース３の後壁４側下方に、切断わらを軸方向へ拡散案内する拡散案内板５を設けると共に、この拡散案内板５の後側で下端縁を後方へ開回動可能のリヤカバー６を設けたことを特徴とする排稈カッターの拡散案内装置の構成とする。【選択図】図１
2006000024.tif 000002
【特許請求の範囲】
【請求項１】
多数枚のカッタディスク（１）を軸方向に配置したカッタ軸（２）を軸装のカッタケース（３）の後壁（４）側下方に、切断わらを軸方向へ拡散案内する拡散案内板（５）を設けると共に、この拡散案内板（５）の後側で下端縁を後方へ開回動可能のリヤカバー（６）を設けたことを特徴とする排稈カッターの拡散案内装置。
【請求項２】
前記拡散案内板（５）は、上端の取付部（７）をこのカッタケース（３）の後壁（４）に接近し、上端縁（８）をこの取付部（７）側から前下り傾斜に形成したことを特徴とする請求項１に記載の排稈カッターの拡散案内装置。
【請求項３】
前記リヤカバー（６）の開閉軸（９）を、カッタケース（３）の後壁（４）下端よりも後位にして、かつ拡散案内板（５）後縁から適宜間隔（１０）後側に設けたことを特徴とする請求項１、又は２に記載の排稈カッターの拡散案内装置。
【発明の詳細な説明】
【技術分野】
【０００１】
この発明は、コンバインの脱穀済排稈を短く切断して圃場面に拡散排出する排稈カッターの拡散案内装置に関し、この排稈カッターのリヤカバーを後方へ開回動可能の形態において、切断排稈の円滑な拡散を図り、リヤカバーの軽量化を図る。
【背景技術】
【０００２】
排稈カッターにおいて、軸方向拡散案内板を、カッタケース、及びこの下側の前壁部に取付けた技術が知られている（例えば、特許文献１参照）。
【特許文献１】特開平８−２６６１４４号公報（第１頁、図１）
【発明の開示】
【発明が解決しようとする課題】
【０００３】
コンバインの排稈カッターでは、切断わらを刈取跡地面に幅広く拡散排出する。しかしながら、株元側の切断わらを穂先寄りへ案内しながら落下するには、排出落差が比較的低く、狭いスペースに案内板等が配置されるため、構成が煩雑で、激しい機体の揺動、乃至振動構成に耐える強固な重量構成となり易い。
【課題を解決するための手段】
【０００４】
請求項１に記載の発明は、多数枚のカッタディスク１を軸方向に配置したカッタ軸２を軸装のカッタケース３の後壁４側下方に、切断わらを軸方向へ拡散案内する拡散案内板５を設けると共に、この拡散案内板５の後側で下端縁を後方へ開回動可能のリヤカバー６を設けたことを特徴とする排稈カッターの拡散案内装置の構成とする。コンバイン作業において脱穀済排稈が、機体後部のカッタケース３内に搬送供給されて、カッタ軸２の回転によりカッタディスク１によって短く切断されて、切断わらとして下方へ落下排出される。この切断わらは、拡散案内板５によって穂先寄りへ案内されながら落下される。又、この切断わら落下案内部の後側はリヤカバー６の開回動姿勢で案内されて、切断わらの拡散排出を円滑に広域に行わせる。又、排稈を切断しない場合は、このリヤカバー６を前側へ回動して収納姿勢とする。
【０００５】
請求項２に記載の発明は、前記拡散案内板５は、上端の取付部７をこのカッタケース３の後壁４に接近し、上端縁８をこの取付部７側から前下り傾斜に形成したことを特徴とするものである。前記のようにしてカッタディスク１によって短く切断されて排出される切断わらは、該各拡散案内板５上面に落下するとき、一部が上端縁８に降りかかるが、この上端縁８の前下り傾斜縁に沿って後側の落下スペースの中央部側へ案内落下される。又、この拡散案内板５の着脱や角度調節等のメンテナンスは、このカッタケース３の後側下部から後壁４部近くの取付部７において行うことができる。
【０００６】
請求項３に記載の発明は、前記リヤカバー６の開閉軸９を、カッタケース３の後壁４下端よりも後位にして、かつ拡散案内板５後縁から適宜間隔１０後側に設けたことを特徴とするものである。前記のように排稈の切断を行うときは、リヤカバー６を開閉軸９の周りに後側へ開回動し、切断作業しないときは前側へ閉回動して収納姿勢とする。この切断わらの落下拡散時には、カッタケース３から落下する切断わらが各拡散案内板５に案内されて排稈穂先側寄へ拡散される。又、この拡散案内板５によって案内される切断わらは後方へ開かれたリヤカバー６に案内されて後方下部へ広く拡散排出される。このような拡散案内板５やリヤカバー６等に案内される切断わらは、一部カッタケース３の後壁４の内側下端部から、この拡散案内板５後縁とリヤカバー６の開閉軸９との間の間隔１０部に排出されるが、この間隔１０部を落下されて拡散排出される。
【発明の効果】
【０００７】
請求項１に記載の発明は、カッタケース３内から排出される切断わらは、この後壁４直下の拡散案内板５、及び後側下方のリヤカバー６に案内されて拡散落下されるため、切断わらの拡散排出効果が的確に行われる。又、これら拡散案内板５はカッタケース３側に固定され、リヤカバー６はこの拡散案内板５とは独立的に開回動できるため、軸方向への切断わら拡散と、後側への拡散排出を各別に、安定して行わせることができ、これらの設定調節や構成等を簡単化でき、軽量化できる。
【０００８】
請求項２に記載の発明は、カッタケース３の後壁４寄り側に集中して落下される切断わらが、拡散案内板５の上端縁８に落下しても、この上端縁８の後下り傾斜に沿って速やかに滑落されて、切断わらの引っ掛りや停滞を少なくして、円滑な切断わらの拡散排出を行わせることができる。又、この拡散案内板５の取付部７をカッタケース３の後壁４部側に接近させて取付けるため、このカッタケース３の下側落下口部を狭く制限するような大きい取付フレーム等の特別のフレーム部材を設けることなく、取付構成を簡単にすることができ、カッタケース３の後側からの着脱操作等も容易化することができる。
【０００９】
請求項３に記載の発明は、拡散案内板５をカッタケース３の後壁４部下方に配置しても、リヤカバー６の開閉軸９が後壁４下端部から後側に退避した形態に構成され、この拡散案内板５の後縁とリヤカバー６の開閉軸９との間には、間隔１０部が形成されるため、これら拡散案内板５と開閉回動軸９との間に切断わらの一部が引っ掛り難く、わら溜りや詰りをなくして、円滑な排出拡散を維持することができる。
【発明を実施するための最良の形態】
【００１０】
図例に基づいて、クローラ１２走行の車体１３上にコンバインの脱穀装置１４が搭載され、この後部の脱穀排塵室１５上には脱穀済排稈を挟持搬送する排稈チェン１６が設けられる。この排稈チェン１６は株元側と穂先側とに二連平行状に設けられ、株元側から後方穂先側へ向けて斜め方向にわたって設けられる。
排稈カッターは、箱形状のカッタケース３を主体とし、この内部には左右両側壁３８，３９間にわたって一対のカッタ軸２を軸装して、前記脱穀装置１４の後端に装着される。これらカッタ軸２に沿って一定間隔に配置のカッタディスク１間上側に、該排稈チェン１６から供給される排稈を受けて短く切断する構成である。このカッタケース３の下側に切断わらを排出案内する排出カバー１９を取付けている。この排出カバー１９は、上端部はカッタケース３の下端に連結するが、下端部をクローラ１２の走行跡地面に開放させた略方形筒形態に形成し、内部には拡散案内板５を配置し、後側部に前後開閉回動可能のリヤカバー６を設ける。又、この排出カバー１９の株元側下部には、この株元部側のサイドカバー２０とリヤカバー６の株元部側端部との間にゴムカバー２１が取付けられて、リヤカバー６を後側へ開くことによってこのゴムカバー２１を穂先側下りに張発させて、株元部に落下する切断わらを中央側へ流下案内させる形態としている。
【００１１】
前記カッタケース３は、左右両側部に取付ピン２２とフック２３を有し、脱穀装置１４側後端の取付ボス２４にこの取付ピン２２を嵌合させて取付けると共に、このカッタケース３の株元側を取付ピン２２の周りに前後回動させて、このフック２３を脱穀装置１４側の係合ピン２５に係合させて、取付け固定することができる。この取付姿勢のカッタケース３の上側部には前記排稈チェン１６の後端部が位置されるが、このカッタケース３の前端部、又は脱穀装置１４の後端上部には、排稈案内杆２６の基部２７が水平方向に回動可能に設けられる。この排稈案内杆２６は、基部２７の周りに回動し、又、上下動して、排稈チェン１６の下面に沿わせるときは、排稈チェン１６で搬送される排稈をこのカッタケース３上を経て後方へ案内させて排出落下させるが、この排稈案内杆２６を下動して基部２７の周りに穂先側へ回動させて、このカッタケース１の前端縁と平行状にして収納姿勢とすると、排稈チェン１６による後方搬送は解除されて、このカッタケース１上の上口に搬送された排稈は、前後のカッタディスク１間の供給口部２８へ供給されて、カッタディスク１による切断作用を受けることができる。２９はこの供給口部２８上の切替軸３０周りに上下に回動される切替板で、排稈チェン１６による排稈搬送を、カッターの供給口部２８とカッタケース３後側のドロッパー側とに切替えるものである。このため前記排稈案内杆２６の出入と連動操作できる。
【００１２】
前記カッタケース３の後壁４の下端には、排出カバー１９のリヤカバー６を取付ける取付カバー３３が設けられる。この取付カバー３３は後壁４から下方へ垂下して、下端部を後側下位に屈曲させている。この屈曲された下端縁に沿って左右横方向の開閉軸９の周りにリヤカバー６の上端部が上下回動可能に支持される。排出カバー１９は、このリヤカバー６の開閉される後側面及び底面を開放させて、フロントカバー３４と、左右両側部のサイドカバー２０，３５等によって略コ字状断面形態に形成される。これら排稈株元側のサイドカバー２０と、穂先側のサイドカバー３５の後端縁３６は、上端部では該取付カバー３３部で連結されているが、開閉軸９部から下端にわたる部分では、該後壁４面よりも後側に垂下形成している。このためリヤカバー６を下方へ回動して閉鎖収納状態Ａにしたときは、リヤカバー６の左右両端縁がこのサイドカバー２０，３５の後端縁３６に接近、乃至沿う形態となる。又、カッタケース３の下端内周部には、このカッタケース３を形成する前記後壁４や、前壁３７、左右両側の側壁３８，３９等の壁板を取付けるカッタフレーム４０の一部が形成されている。この後壁４の下端縁部に沿うカッタフレーム４０部に、拡散案内板５をボルト締め等で着脱可能に取付ける。
【００１３】
前記排出カバー１９の内側には、該拡散案内板５や、株元部側の切断わらを内側へ案内する株元案内板４５、及び前記リヤカバー６との間を連結するゴムカバー２１等が設けられる。このうち株元案内板４５は、サイドカバー２０の下端内側面に取付けられて、内側下方に傾斜して、特にこのサイドカバー２０の内側面に沿って落下する株元部の切断わらを内方へ流下案内する。ゴムカバー２１は、このサイドカバー２０の後側縁とリヤカバー６の内側面との間にわたってビス止め等で取付け４６，４７連結される。そして、リヤカバー６は、排稈切断の作業状態Ｂでは、後方上部へ適宜角度位置に開回動するが、この状態では該ゴムカバー２１を後方へ張発させて、これら株元案内板４５の後端縁と、リヤカバー６の内側面との間を覆って、内方へ傾斜するゴムカバー２１による株元案内面を形成し、切断落下される切断わらの株元部が、このリヤカバー６の株元側外方へ飛散しないようにして、穂先側内方へ拡散案内させるものである。
【００１４】
又、前記拡散案内板５は、該株元案内板４５よりも内方に位置して、二枚、乃至三枚に配置される。取付部７は、各拡散案内板５の上端部に取付アーム４８を有して、この取付アーム４８の取付部７が適宜角度θに屈曲形成され、ボルト締め等で各々案内板ブラケット４１に取付けられる。この拡散案内板５は、排出カバー１９内において適宜の前後方向の幅と、上下方向の長さに設定されて、切断わらを穂先側へ向けて流下案内するように傾斜θさせる。この傾斜θは取付アーム４８の形状、乃至カッタフレーム４０に対する取付角の調節等によって変更調節することができる構成としている。各拡散案内板５の上端縁８は、上部の取付部７から前側下位に向けて傾斜させて、上側から切断わらが落下しても、引っ掛り難く、滑落し易い形態としている。このような拡散案内板５の後端縁は、該取付部７から垂下形成されるが、前記後壁４下端部の取付カバー３３、及びこれに支持されるリヤカバー６の開閉軸９は、間隔１０を介して後側に偏位設定されるため、取付カバー３３の下面に沿ってリヤカバー６の下側へ排出されようとする切断わらの一部が、これら拡散案内板５の後端縁と開閉軸９との間に排出されても、そのまま間隔１０を落下案内されて、引っ掛って停滞したり、切断わらの拡散排出の抵抗となるのを防止して、円滑な拡散排出を行わせることができる。４９はリヤカバー６の開閉を行う開閉アーム、５０は、このリヤカバー６の閉鎖収納状態Ａを保持するフックである。５１は排塵室１５の排塵口である。
【００１５】
拡散案内板５の取付部７は、カッタケース３の後壁４下端部に取付けられるため、この後側下部からの着脱操作や、傾斜θ角度の調節等のメンテナンス操作等を簡単、容易に行うことができる。
コンバイン作業において、脱穀排稈を未切断のまま排出するときは、排稈案内杆２６を排稈チェン１６の下側に沿わせた排稈姿勢とし、切替板２９を下側へ回動させて供給口部２８上を覆う形態とする。排稈チェン１６を搬送される排稈は、このカッタケース３上では排稈案内杆２６上を案内されて排稈チェン１６の後端部からドロッパー上や、直接刈取走行地面上に排出される。又、排稈をカッターにより短く切断しながら拡散排出させるときは、前記排稈案内杆２６を下動させてカッタケース３の前端縁部に沿わせて収納させると共に、切替板２９を上方へ起立回動させて、排稈チェン１６による排稈通路部を遮断する状態にする。拡散案内板６は開閉軸９周りに後方へ開回動して作業状態Ｂにしておく。排稈チェン１６によって搬送される排稈は、このカッタケース３の上側部で、切替板２９等によって供給口部２８へ案内されて、前後のカッタディスク１間に、カッタ軸２に沿った状態で供給される。この排稈は前後のカッタディスク１の回転差によって下側へ掻込まれながら短く切断されて落下される。この切断わらは、カッタケース３の下端部では、株元側で藁が大きく穂先側で小さい状態にあるが、排出カバー１９内を案内されて刈取跡の土壌面に落下された状態では、この株元部側の切断わらが穂先側へ広く分散排出されることによって略均等の層に排出される。
【００１６】
この切断わらの拡散作用では、上側のカッタケース３内から落下される切断わらの大部分が、各拡散案内板５上に飛散されて、この拡散案内板５の傾斜θ面を案内されて、株元側の部分が穂先側へ移動されながら、リヤカバー６の下方へ排出案内される。特に、後壁４側に沿って落下される切断わらは、この拡散案内板５上端縁８に案内されるものがあるが、この上端縁８の傾斜縁に沿って下方へ速やかに滑落案内される。又、各拡散案内板５間を落下する切断わらの一部は、上端の取付カバー３３の下面からリヤカバー６の下面へ飛散案内されるが、この開閉軸９の前側には拡散案内板５との間に間隔１０が形成されるため、この間隔１０部を落下されたり、穂先側へ拡散されて、円滑な拡散排出を行わせることができる。又、この拡散案内板５は、リヤカバー６とは独立的にしてカッタケース３の側に取付けられるため、構成が簡単であり、拡散案内板５の拡散作用を安定させることができる。又、この拡散案内板５の単独構成及び開閉構成によって、軽量化を図り、作業時の揺動、振動も少なくすることができ、耐久性を高めることができる。
【図面の簡単な説明】
【００１７】
【図１】コンバイン排稈カッターの側面図。
【図２】その背面図。
【符号の説明】
【００１８】
１    カッタディスク
２    カッタ軸
３    カッタケース
４    後壁
５    拡散案内板
６    リヤカバー
７    取付部
８    上端縁
９    開閉軸
１０    間隔
【図１】
2006000024.tif 000003
【図２】
2006000024.tif 000004